(57)【要約】【課題】小形で、しかも、製造コストが安価であるうえ、構造が簡単で、しかも、直接液体を上方に吐出させたり、下方に滴下させたりすることのできるスクイズ性塗布容器を提供する。【解決手段】スクイズ性を有する容器本体１と、この容器本体１の開口を蓋するキャップ２１を備え、このキャップ２１に、容器本体１内に収容する塗布液６の流出用の貫通孔２３を設け、容器本体１内の上部空間に塗布液貯留室１２を設け、この塗布液貯留室１２の底壁１５ａにパイプ１８を挿通し、このパイプ１８の上端を上記貫通孔２３との間に所定の空隙１９をあけた位置に位置決めし、容器本体１の傾倒状態において塗布液貯留室１２内の塗布液６を上記空隙１９を経由し上記貫通孔２３から滴下可能にしている。【選択図】図５
2008081171.tif 000002
【特許請求の範囲】
【請求項１】
スクイズ性を有する有底筒状の容器本体と、この容器本体の開口を蓋する蓋体とを備え、この蓋体に、上記容器本体内に収容する塗布液の流出口を設け、上記容器本体内の上部空間に、上記流出口に連通する塗布液貯留室を設け、この塗布液貯留室の底壁に貫通孔を設け、この貫通孔に、上端が上記塗布液貯留室に開口し下端が容器本体内の下部空間に開口している管体を液密状に挿通し、この管体の上端を上記流出口との間に所定の空隙をあけた位置に位置決めし、上記容器本体の傾倒状態において上記塗布液貯留室内に溜められた塗布液を上記管体の上端と流出口との上記空隙を経由し上記流出口から滴下可能に構成したことを特徴とするスクイズ性塗布容器。
【請求項２】
上記管体の上端開口の軸心を、上記蓋体の流出口の軸心に対し横側方にずれた位置に位置決めすることにより、上記管体の上端開口の上方に上記流出口の一部を位置させ、スクイズ状態において上記管体の上端開口から流出した塗布液の一部を上記流出口の一部に衝突させて周囲に飛散させ、これを塗布液貯留室で受けて貯留するように構成した請求項１記載のスクイズ性塗布容器。
【発明の詳細な説明】
【技術分野】
【０００１】
本発明は、自動車の車体や窓ガラス等に撥水剤，曇止め剤，洗浄剤等の各種塗布液を塗布するスクイズ性塗布容器に関するものである。
【背景技術】
【０００２】
従来から、自動車の車体や窓ガラス等に雨の跡が付いたり、塵芥等が付着したりして車体や窓ガラス等が汚れると、運転者等は、内部に洗浄剤等を収容した塗布容器を用いて車体や窓ガラス等に洗浄剤等を塗布し、車体や窓ガラス等に付着している雨の跡や塵芥等を濡れ雑巾等で拭き取るようにしている。また、自動車の外観等をいつも清潔できれいな状態にしておくことを好む運転者等では、定期的に自動車の主体や窓ガラス等に塗布容器で洗浄剤等を塗布し、車体等に付着している塵芥等を濡れ雑巾等できれいに拭き取ることが行われている。
【０００３】
このような塗布容器として、例えば、図７に示すようなスクイズ性塗布容器が用いられている。このスクイズ性塗布容器は、使用時に容器体３１の胴部３１ａを手指で強く握って胴部３１ａ内の塗布液３０を蓋体３２のノズル３４から上方に（図７の矢印参照）吐出するものであり、弾性圧搾可能な（スクイズ性を有する）胴部３１ａの上面開口部から口頸部３１ｂが起立する容器体３１と、この容器体３１の口頸部３１ｂに螺着される蓋体３２と、上記胴部３１ａ内に配設されるパイプ３３とを備えている。また、上記蓋体３２には、その中央に貫通孔３２ａが形成されているとともに、この貫通孔３２ａを取り囲むようにして上記蓋体３２の上面からノズル３４が突設されている。また、上記パイプ３３の上端部が上記貫通孔３２ａに挿通されているとともに、下端部が上記胴部３１ａの底部に位置決めされている。
【０００４】
そして、使用時には、ノズル３４を上方や横側方（やや上向き）に向けた状態で胴部３１ａを手指で強く握り、これにより胴部３１ａの内圧を高め、胴部３１ａ内の塗布液３０をパイプ３３内にその液体流入口（下端開口）から流入させてパイプ３３，ノズル３４内を上昇させたのち、ノズル３４の先端開口から吐出させるようにしている。一方、吐出後に胴部３１ａから手指を離すと、パイプ３３を介して外気が胴部３１ａ内に流入し、胴部３１ａがそれ自体の復元力で元の形状に戻るようになっている。
【０００５】
また、自動車の車体等に塗布液３０を塗布する場合には、塗布液３０を上方や横側方に勢いよく吐出させるだけではなく、下方に滴下させたいときがある。ところが、上記のスクイズ性塗布容器では、少し使用して胴部３１ａ内の塗布液３０が減少したのちに（もしくは使い始めのときから）、容器体３１を逆さにする（ノズル３４を下方に向ける）と、塗布液３０の液面よりもパイプ３３の液体流入口のほうが上方に位置し、塗布液３０をパイプ３３の液体流入口から流入させてノズル３４の先端開口から下方に滴下させることができない。
【０００６】
そこで、図８に示すような液溜め室付き容器が提案されている。この容器は、容器体３５（上記容器体３１と同様構造）と、この容器体３５の口頸部３５ｂに螺着される装着筒３６と、この装着筒３６により上記容器体３５の口頸部３５ｂの上端面上に載置，固定される液体流出筒３７と、この液体流出筒３７の上端部に固定される押下ヘッド３８と、この押下ヘッド３８に形成された蓋板３９ａ付き液溜め室３９とを備えている。そして、上記胴部３５ａ内に配設されるパイプ４０の上端部が上記液体流出筒３７に挿通されているとともに、下端部が上記胴部３５ａの底部に位置決めされている。
【０００７】
使用時には、胴部３５ａを手指で強く握り、胴部３５ａ内の液体（図示せず）をパイプ４０，液体流出筒３７，押下ヘッド３８の注出口３８ａを経由して液溜め室３９に溜め、溜めたのち、蓋板３９ａを開けて容器体３１を下向きにすることで、液溜め室３９に溜めた液体を下方に滴下させるようにしている（例えば、特許文献１参照）。
【特許文献１】特開２００５−１６２２２５号公報
【発明の開示】
【発明が解決しようとする課題】
【０００８】
しかしながら、上記の液溜め室付き容器では、容器体３５の上方に液溜め室３９を設けているため、液溜め室付き容器の高さが高くなり、大形化する。しかも、液溜め室３９は容器体３５の外部にあるため、液溜め室３９の上面開口を蓋する蓋板３９ａを設けなければならず、その分製造コストがアップするうえ、構造が複雑化する。しかも、容器体３５内の液体を液溜め室３９に溜めているため、液体をパイプ４０から直接に上方に吐出することができない。
【０００９】
本発明は、このような事情に鑑みなされたもので、小形で、しかも、製造コストが安価であるうえ、構造が簡単で、しかも、直接液体を上方に吐出させたり、下方に滴下させたりすることのできるスクイズ性塗布容器の提供を目的とする。
【課題を解決するための手段】
【００１０】
上記の目的を達成するため、本発明のスクイズ性塗布容器は、スクイズ性を有する有底筒状の容器本体と、この容器本体の開口を蓋する蓋体とを備え、この蓋体に、上記容器本体内に収容する塗布液の流出口を設け、上記容器本体内の上部空間に、上記流出口に連通する塗布液貯留室を設け、この塗布液貯留室の底壁に貫通孔を設け、この貫通孔に、上端が上記塗布液貯留室に開口し下端が容器本体内の下部空間に開口している管体を液密状に挿通し、この管体の上端を上記流出口との間に所定の空隙をあけた位置に位置決めし、上記容器本体の傾倒状態において上記塗布液貯留室内に溜められた塗布液を上記管体の上端と流出口との上記空隙を経由し上記流出口から滴下可能に構成したという構成をとる。
【発明の効果】
【００１１】
すなわち、本発明のスクイズ性塗布容器は、スクイズ性を有する（弾性圧搾可能な）容器本体内の上部空間に塗布液貯留室を設け、この塗布液貯留室の底壁に設けた貫通孔に、上端が塗布液貯留室に開口し下端が容器本体内の下部空間に開口する管体を液密状に挿通している。また、この管体の上端を（上記容器本体の開口を蓋する）蓋体の流出口との間に所定の空隙をあけた位置に位置決めしている。したがって、スクイズ状態（容器本体を手指で強く握った状態）では、容器本体内の圧力が高まり、容器本体の塗布液が管体の下端開口から流入し内部を上昇して上端開口から流出したのち、この流出した塗布液の大部分が上記蓋体の流出口に送り込まれ、流出口から（もしくは流出口から延びる液体通路を通ったのちこの液体通路から）吐出されるものの、塗布液の一部分は上記空隙から周囲に飛び出して塗布液貯留室に溜まる。この塗布液貯留室に溜められた塗布液は、容器本体を下方に向けて傾倒させると、塗布液貯留室から流出し上記空隙を経て流出口に流入したのち、流出口から（もしくは流出口から延びる液体通路を通ったのちこの液体通路から）下方に滴下される。
【００１２】
上記のように、本発明のスクイズ性塗布容器では、容器本体内の上部空間に塗布液貯留室を設けているため、容器本体内のスペースを有効利用することができ、容器全体が大形化しない。しかも、容器本体内の上部空間に塗布液貯留室を設けているため、容器本体のの開口を蓋する蓋体で、塗布液貯留室の蓋を兼用することができ、製造コストが安価であるうえ、構造が簡単になる。しかも、スクイズ状態では、容器本体の下部空間内の塗布液を上記管体を経由して流出口から吐出させることができる。
【００１３】
また、上記管体の上端開口の軸心を、上記蓋体の流出口の軸心に対し横側方にずれた位置に位置決めすることにより、上記管体の上端開口の上方に上記流出口の一部を位置させ、スクイズ状態において上記管体の上端開口から流出した塗布液の一部を上記流出口の一部に衝突させて周囲に飛散させ、これを塗布液貯留室で受けて貯留するように構成した場合には、上記管体の上端開口から流出させた塗布液の一部を簡単な構造で塗布液貯留室に溜めることができる。
【発明を実施するための最良の形態】
【００１４】
つぎに、本発明を実施するための最良の形態について説明する。ただし、本発明は、この実施の形態に限られるものではない。
【００１５】
図１は本発明のスクイズ性塗布容器の一実施の形態を示している。図において、１は合成樹脂製の容器本体であり、図２に示すように、内部に洗浄剤（塗布液）６を収容する胴部２と、この胴部２の上端開口部から上方に向かって縮径状に延びる肩部３と、この肩部３の上端開口部から上方に向かって略円筒状に延びる口部４とを備えている。上記胴部２は、スクイズ性を有する（弾圧圧搾可能な）略有底円筒状体に形成されており、これを手指で掴んで強く握ると、弾性変形しうるようになっている（図４参照）。また、上記口部４には、その外周面に第１ねじ部５が刻設されている。
【００１６】
１１は上記容器本体１の胴部２内の上部空間に配設される略有底円筒状の合成樹脂製の内壁であり、その内部空間が塗布液貯留室１２に形成されている。上記内壁１１には、その上端開口部の外周面からその周方向に沿って延びる一条の円環状の鍔部１３が突設されており、上記容器本体１の口部４の上端面に載置されている。また、上記内壁１１は上側大径部１４と下側小径部１５とを備えており、上記上側大径部１４は上記口部４に内嵌している。また、上記下側小径部１５には、その底壁１５ａに円形の貫通孔１５ｂが形成されており、この貫通孔１５ｂの中心は、上記底壁１５ａの中心から少し横側に（図１および図２では、右側に）ずれた位置に位置決めされている。また、上記底壁１５ａの下面から、上記貫通孔１５ｂを取り囲むようにして円筒部１６が垂下している。
【００１７】
１８は上記胴部２内を垂下する合成樹脂製のパイプ（管体）であり、その下端部は下向き傾斜状に湾曲するとともに、下端開口は上記胴部２の底壁２ａに近接した位置に開口している。また、上記パイプ１８は、その上部（上記胴部２内を垂下している部分）が上記内壁１１の下側小径部１５の貫通孔１５ｂおよび円筒部１６の中央孔１６ａに挿通，固定されている。また、上記パイプ１８は、その上端開口１８ａが上記塗布液貯留室１２内に開口し、かつ、後述するキャップ２１の貫通孔２３との間に所定の空隙１９（図５および図６参照）をあけた状態で位置決めされている。
【００１８】
２１は合成樹脂製のキャップ（蓋体）であり、略有天円筒状に形成されている。このキャップ２１には、図３に示すように、その周側壁２１ａの内周面に、上記第１ねじ部５に螺合する第２ねじ部２２が刻設されている。また、上記キャップ２１には、その天井壁２１ｂの中央に円形の貫通孔（流出口）２３が形成されているとともに、上記天井壁２１ｂの上面中央部から、上記貫通孔２３を取り囲むようにして略円筒形状のノズル２４（その中央孔２４ａは、上記貫通孔２３から延びる液体通路となる）が突設されている。また、上記貫通孔２３の中心（すなわち、貫通孔２３および中央孔２４ａの軸心）は上記天井壁２１ｂの中心に位置決めされており、これにより、上記パイプ１８の上端開口１８ａの中心（すなわち、パイプ１８の、上記胴部２内を垂下している部分の軸心）に対し、少し横側方にずれた位置にある（図４参照）。
【００１９】
２５は中栓（図１参照）であり、円盤部２５ａと、この円盤部２５ａの上面中央部から突設され上記貫通孔２３，中央孔２４ａに液密状に内嵌する凸部２５ｂとを備えている。この中栓２５は、パイプ１８の上面開口１８ａから容器本体１内の塗布液６が塗布液貯留室１２に流入し、かつ塗布液貯留室１２に溜まる塗布液６が貫通孔２３に流入することを阻止する作用をする。この中栓２５は、本発明のスクイズ性塗布容器を運搬等する際に用いられるが、購買後は購買者が取り付けて使用してもよいし、取り付けなくてもよい。２６は外蓋（図１参照）であり、上記キャップ２１のノズル２４を蓋する作用をする。
【００２０】
上記の構成において、使用時には、図１の状態から図５に示すように、中栓２５，外栓２６を取り外し、ノズル２４を上方もしくは横側方（やや上向き）の所望の部分に向け、その状態で容器本体１の胴部２を手指で強く握ることを行う。これにより、容器本体１の内圧が上がり、胴部２内の塗布液６がパイプ１８の下端開口から内部に流入しこの内部を上昇して上端開口１８ａから流出し、その大部分は上記空隙１９を通ってキャップ２１の貫通孔２３に送り込まれ、この貫通孔２３，ノズル２４の中央孔２４ａを通ってノズル２４の先端開口から上記所望の部分に吐出される。また、パイプ１８の上端開口１８ａから流出した塗布液６の一部は、上記貫通孔２３の外周部の一部分（図５では、右側部分）に衝突して上記空隙１９から周囲に飛散し、塗布液貯留室１２に溜められる。
【００２１】
一方、塗布液６をノズル２４から滴下させる場合には、図６に示すように、容器本体１を下向きに傾倒させて、上記塗布液貯留室１２に溜められた塗布液６を上記空隙１９を通してノズル２４の先端開口から滴下させる。
【００２２】
このように、上記スクイズ性塗布容器では、容器本体１内の上部空間に塗布液貯留室１２を設けているため、容器本体１内のスペースを有効利用することができ、容器全体１が大形化しない。しかも、容器本体１の開口を蓋するキャップ２１で、塗布液貯留室１２の蓋を兼用することができ、製造コストが安価であるうえ、構造が簡単になる。しかも、容器本体１の胴部２を手指で強く握って容器本体１内の塗布液６をノズル２４から直接に吐出させることも、容器本体１を下方に傾けて下方に滴下させることもできる。
【００２３】
なお、上記実施の形態では、キャップ２１の貫通孔２３および中央孔２４ａの軸心とパイプ１８の軸心とを少し横側方にずらすことにより、パイプ１８の上端開口１８ａから流出した塗布液６の一部を、上記貫通孔２３の外周部の一部分に衝突させて塗布液貯留室１２に溜めるようにしているが、これに限定するものではなく、上記両軸心を同じ位置に設定するとともに、キャップ２１の貫通孔２３の直径よりもパイプ１８の直径を大径にすることで、パイプ１８の上端開口１８ａから流出した塗布液６の一部を、上記貫通孔２３の外周部の全周に衝突させて塗布液貯留室１２に溜めるようにしてもよい。
【００２４】
また、上記実施の形態において、キャップ２１の中央孔２４ａを、先端に向かって先細り状に延びる孔形状に形成することにより、上記中央孔２４ａの先端開口から塗布液６を噴射させるようにしてもよい。
【００２５】
また、上記実施の形態では、塗布液６として、洗浄剤を用いているが、撥水成分を含んだもの（撥水剤）や曇止め剤を用いてもよい。
【図面の簡単な説明】
【００２６】
【図１】本発明のスクイズ性塗布容器の一実施の形態を示す断面図である。
【図２】容器本体の断面図である。
【図３】キャップの断面図である。
【図４】上記容器本体の平面図である。
【図５】上記スクイズ性塗布容器の作用を示す断面図である。
【図６】上記スクイズ性塗布容器の作用を示す断面図である。
【図７】従来例を示す断面図である。
【図８】他の従来例を示す断面図である。
【符号の説明】
【００２７】
１  容器本体
６  塗布液
１２  塗布液貯留室
１５ａ  底壁
１８  パイプ
１９  空隙
２１  キャップ
２３  貫通孔
【図１】
2008081171.tif 000003
【図２】
2008081171.tif 000004
【図３】
2008081171.tif 000005
【図４】
2008081171.tif 000006
【図５】
2008081171.tif 000007
【図６】
2008081171.tif 000008
【図７】
2008081171.tif 000009
【図８】
2008081171.tif 000010